(57)【特許請求の範囲】
【請求項１】
外側輪郭が二つ以上の握り面（１２，１４，１６）を形成する外被を備えたペンまたはペンシルであって、
前記外側輪郭において周方向に隣接する二つの握り面（１２，１４）間において、かつ前記外被の前記外側輪郭が、隣接する前記二つの握り面の延長輪郭（２４）よりも半径方向内側にある少なくとも一つの中間領域（１８，２０，２２）が前記ペンまたはペンシルの少なくとも指で握る範囲の全長に亘って存在しており、前記中間領域（１８，２０，２２）の前記外側輪郭が、窪んだあるいは平坦な部分を有するとともに、前記中間領域（１８，２０，２２）が、隣接する前記二つの握り面（１２，１４，１６）の一つが広がる角度領域（α）の３０％から７０％の角度領域（β）に亘って周方向に広がっていることを特徴とするペンまたはペンシル。
【請求項２】
前記角度領域（β）が前記角度領域（α）の４０％から６０％であることを特徴とする請求項１記載のペンまたはペンシル。
【請求項３】
前記角度領域（β）が前記角度領域（α）の４５％から５５％であることを特徴とする請求項１記載のペンまたはペンシル。
【請求項４】
前記外被の内部空間（１０）が少なくとも部分的に円柱状であることを特徴とする請求項１から３の何れか１項記載のペンまたはペンシル。
【請求項５】
前記中間領域（１８，２０，２２）の前記外側輪郭の断面が、少なくとも部分的にＵ字型またはＶ字型であることを特徴とする請求項１から４の何れか１項記載のペンまたはペンシル。
【請求項６】
前記中間領域（１８，２０，２２）と、隣接する一つの前記握り面（１２，１４，１６）との間の境界領域に色表示（２６，２８，３０，３２，３４，３６）が施されていることを特徴とする請求項１から５の何れか１項記載のペンまたはペンシル。
【請求項７】
前記握り面の少なくとも一つが平坦であることを特徴とする請求項１から６の何れか１項記載のペンまたはペンシル。
【請求項８】
前記握り面（１２，１４，１６）の少なくとも一つが弧状の断面形状を有することを特徴とする請求項１から７の何れか１項記載のペンまたはペンシル。
【請求項９】
請求項１から８の何れか１項記載のペンまたはペンシルの外被。
【発明の詳細な説明】
【技術分野】
【０００１】
本発明は、それの外側輪郭に二つ以上の握り面を形成した外被を備えたペンまたはペンシルに関する。
【背景技術】
【０００２】
上述の種類のペンまたはペンシルは公知である。これらは隣り合う二つの握り面が互いに接するエッジを有する。断面が正ｎ角形の、二つ、三つ、四つ、六つのエッジを有するペンまたはペンシルは公知である。相対的に、外被の内側輪郭は、通常その外側輪郭とは異なる形状を有する。例えば、内側輪郭は円柱状である。したがって、エッジの領域には材料が集積し、これは経済的および環境的な観点から不都合である。
【発明の概要】
【発明が解決しようとする課題】
【０００３】
それ故に、本発明の課題は、より有益な、特に経済的および環境的理由のために、本明細書の冒頭において説明した種類のペンまたはペンシルを開発することにある。
【課題を解決するための手段】
【０００４】
本発明によれば、上記課題は、周方向に隣接する二つの握り面間において、かつ上記外被の外側輪郭が、隣接する二つの握り面の概念的交点よりも半径方向内側にある少なくとも一つの中間領域が存在することによって解決される。
【０００５】
換言すれば、隣接する二つの握り面間の境界領域には、従来のペンまたはペンシルと比較して、より少ない材料が用いられ、これによって、経済的および環境的効果が得られるのである。
【０００６】
本発明によれば、上記外被の内部空間が少なくとも部分的に円柱状であることが好ましい。この構成は、本発明による材料の節約が特に著しい条件となる。しかしながら、上記内部空間の断面が角張っていても、特に四角形であってもよい。
【０００７】
本発明によれば、さらに材料の節約を増大させるために、もし上記中間領域の外側輪郭が、窪んだ部分および／または平坦な部分を独占的に有するならばさらに好ましい。
【０００８】
本発明によるさらに好ましい特徴によれば、上記中間領域の外側輪郭が、少なくとも部分的にＵ字型またはＶ字型の断面を有する。換言すれば、この構成によれば、隣接する二つの握り面の間の境界領域が抉られ、または溝が設けられていることになる。
【０００９】
本発明によれば、もし上記中間領域が、隣接する握り面の一つが広がる角度領域の３０％と７０％との間、好ましくは４０％と６０％との間、さらに好ましくは４５％と５５％との間である角度領域に亘って周方向に広がっているとすれば効果的である。
【００１０】
この構成は、上記握り面が十分なサイズを有することを確実にする。
【００１１】
本発明によれば、外観を良くするために、上記中間領域と、隣接する一つの握り面との間の境界領域に色表示を施すことができる。
【００１２】
本発明によれば、少なくとも一つ握り面が平坦である。
【００１３】
本発明によれば、それに加えて、またはそれの代わりに、少なくとも一つの握り面が弧状の、好ましくは円弧状の断面形状を有する。この構成によれば、上記弧または円弧の連続によって概念的交差線が与えられる。
【００１４】
上述のペンまたはペンシルに加えて、本発明は、このようなペンまたはペンシルの外被をも提供する。
【図面の簡単な説明】
【００１５】
【図１】本発明の好ましい実施の形態によるペンまたはペンシルのための外被の縦断面図である。
【図２】図１の外被の横断面図である。
【発明を実施するための形態】
【００１６】
以下、好ましい実施の形態を示す図面を参照して本発明を詳細に説明する。
【００１７】
図に示されている外被は円柱状の内部空間１０を有する。外被の外側には、それぞれ約７３°の角度領域αに亘って広がる三つの握り面１２，１４および１６が備えられている。これらの握り面１２，１４および１６の間には、それぞれ約４４°の角度領域βに亘って広がる中間領域１８，２０および２２が配置されている。
【００１８】
図２の断面図において、握り面１２，１４および１６の外側輪郭はそれぞれ円弧状である。もし握り面１２および１４の外側輪郭がそれぞれの円弧に沿って互いに相手方に向かって延長されるとすると、概念上の交点２４において交差する。中間領域１８の外側輪郭は、概念上の交点２４よりも半径方向内側にある。中間領域２０および２２の外側輪郭に対しても同様の配慮がなされている。
【００１９】
中間領域１８，２０および２２のそれぞれのエッジには、色表示２６，２８，３０，３２，３４および３６が施されている。図に示された実施の形態においては、外被自体が黄色であるが、色表示は白色に保たれている。
【００２０】
中間領域１８，２０および２２の外側輪郭は、色表示２６と２８との間、３０と３２との間、３４と３６との間においてそれぞれ窪んでいる。特に色表示が無い場合、または色表示が握り面１２，１４，１６の領域に施されている場合においても、中間領域１８，２０および２２の外側輪郭のみは、独占的に窪んだ部分および／または平坦な部分を有することも可能である。
【００２１】
さらに、握り面１２，１４および１６も、図示のものとは異なる外側輪郭、例えば平坦であることも可能である。
【００２２】
以上の説明、請求項および図面において開示された本発明の特徴は、種々の実施の形態において本発明を実施するための、個々においても何れの組合せにおいても双方において本質的なものとすることができる。
【符号の説明】
【００２３】
１０  内部空間
１２，１４，１６  握り面
１８，２０，２２  中間領域
２４  概念上の交点
２６，２８，３０，３２，３４，３６  色表示
【図１】
0005777253.tif 000002
【図２】
0005777253.tif 000003